(57)【要約】メッセージ交換などにより発生する時間的遅延を低減し、ハンドオーバの高速化を実現する技術が開示され、その技術によればモバイルノード（ＭＮ）が先に接続したアクセスルータｐＡＲが、ＭＮからのＦＢＵメッセージに対して、ＨＩメッセージを送信してＨＡｃｋメッセージを待つという処理（遅延を招く処理）を行うことなく、すぐにＦＢａｃｋを返す。すなわち、ＭＮからのＦＢＵに応じてテーブルから、ＭＮがｎＡＲに接続した際に使用可能なアドレス（ｎＡＲのサブネットにおいて使用可能なｎＣｏＡ）を選択し、ｎＡＲとのＨＩ／ＨＡｃｋの送受信とは無関係に、即時にＭＮへこのｎＣｏＡを含むＦＢａｃｋを返信する。これにより、例えば、ＨＩ／ＨＡｃｋメッセージの交換により発生する時間的遅延を低減し、高速なハンドオーバを実現することが可能となる。【特許請求の範囲】
【請求項１】
サブネットを管理するアクセスルータ装置であって、
自身が管理する前記サブネットに隣接して配置された少なくとも１つの隣接サブネットにおいて使用可能なアドレス情報を保存するアドレス情報格納手段と、
前記アドレス情報格納手段に格納されている前記アドレス情報を選択するアドレス選択手段と、
自身が管理する前記サブネットに接続している移動端末に対して、前記アドレス選択手段によって選択された前記アドレス情報を提供するアドレス提供手段とを、
有するアクセスルータ装置。
【請求項２】
前記隣接サブネットを管理するアクセスルータから前記アドレス情報を取得し、取得した前記アドレス情報を前記アドレス情報格納手段に格納するアドレス情報更新手段を有する請求項１に記載のアクセスルータ装置。
【請求項３】
前記アドレス選択手段が、前記移動端末からの要求に応じて、前記移動端末に提供するための前記アドレス情報を選択するように構成されている請求項１又は２に記載のアクセスルータ装置。
【請求項４】
前記アドレス選択手段が、前記移動端末から受信した前記隣接サブネットに係る識別情報に基づいて、前記移動端末のハンドオーバ先の前記隣接サブネットにおいて使用可能な前記アドレス情報を選択するように構成されている請求項３に記載のアクセスルータ装置。
【請求項５】
前記移動端末に対して、前記アドレス提供手段によって前記アドレス情報が提供された場合には、前記アドレス情報格納手段に格納されている前記アドレス情報から、前記アドレス提供手段によって提供された前記アドレス情報が削除されるように構成されている請求項１又は２に記載のアクセスルータ装置。
【請求項６】
ファストハンドオーバに係る機能を有しており、前記アドレス提供手段が、前記アドレス選択手段によって選択された前記アドレス情報を含むＦＢａｃｋメッセージ又はＰｒＲｔＡｄｖメッセージを、前記移動端末に対して送信するように構成されている請求項１又は２に記載のアクセスルータ装置。
【請求項７】
それぞれがサブネットを管理する複数のアクセスルータ装置により構成される通信ハンドオーバシステムであって、
自身が管理する前記サブネットに隣接して配置された少なくとも１つの隣接サブネットにおいて使用可能なアドレス情報を保存するアドレス情報格納手段と、前記アドレス情報格納手段に格納されている前記アドレス情報を選択するアドレス選択手段と、自身が管理する前記サブネットに接続している移動端末に対して、前記アドレス選択手段によって選択された前記アドレス情報を提供するアドレス提供手段とを有しており、
前記移動端末が、前記サブネットから前記隣接サブネットにハンドオーバを行う前に、前記特定アクセスルータ装置の前記サブネットに接続した状態で、前記アドレス情報格納手段に格納されている前記アドレス情報を前記特定アクセスルータ装置から取得するように構成されている通信ハンドオーバシステム。
【請求項８】
それぞれがサブネットを管理する複数のアクセスルータ装置により構成される通信ハンドオーバシステムにおける通信ハンドオーバ方法であって、
前記複数のアクセスルータ装置のうちの１つのアクセスルータ装置が、自身が管理する前記サブネットに隣接して配置された少なくとも１つの隣接サブネットにおいて使用可能なアドレス情報を取得し、保持するステップと、
前記複数のアクセスルータ装置のうちの１つのアクセスルータ装置に接続している移動端末が、前記複数のアクセスルータ装置のうちの１つのアクセスルータ装置が管理する前記サブネットから前記隣接サブネットにハンドオーバを行う場合、前記移動端末が接続している前記アクセスルータ装置が、前記移動端末に対して、保持されている前記アドレス情報を提供するステップとを、
有する通信ハンドオーバ方法。
【発明の詳細な説明】
【技術分野】
【０００１】  本発明は、無線通信を行う移動端末のハンドオーバの高速化を実現するアクセスルータ装置及びそれを用いた通信ハンドオーバシステム並びに通信ハンドオーバ方法に関し、特に、モバイルＩＰｖ６（Ｍｏｂｉｌｅ  Ｉｎｔｅｒｎｅｔ  Ｐｒｏｔｏｃｏｌ  ｖｅｒｓｉｏｎ  ６）を利用した無線通信を行う移動端末において、ハンドオーバを高速化する技術に関する。
【背景技術】
【０００２】  近年、移動端末から無線ネットワークを通じてインターネットなどの通信ネットワークにアクセスするユーザに対して、移動しながらでもシームレスに通信ネットワークの接続を提供できる技術として、次世代インターネットプロトコルであるモバイルＩＰｖ６を利用したものが普及してきている。このモバイルＩＰｖ６に関する技術は、例えば、下記の非特許文献１に開示されている。【０００３】  また、モバイルＩＰｖ６を利用した無線通信システムにおいて、移動端末があるサブネットから別のサブネットに移動した場合でも円滑に無線通信を継続させる技術として、ファストハンドオーバ技術が知られており、例えば、下記の非特許文献２に開示されている。【０００４】  以下に、高速モバイルＩＰ（ＦＭＩＰ：Ｆａｓｔ  Ｍｏｂｉｌｅ  ＩＰ）を用いたハンドオーバの手順について、一例を簡単に説明する。図１は、無線通信システムの構成を示す模式図である。インターネットなどの通信ネットワークをＩＰネットワーク１１とし、ＩＰネットワーク１１には複数のアクセスルータ（ＡＲ：Ａｃｃｅｓｓ  Ｒｏｕｔｅｒ）２１、２２、２３、２４が接続され、そして、ＡＲ２１にはアクセスポイント（ＡＰ：Ａｃｃｅｓｓ  Ｐｏｉｎｔ）３１、３２が接続され、ＡＰ３１にはモバイルノード（ＭＮ：Ｍｏｂｉｌｅ  Ｎｏｄｅ）４１が無線接続されている。すなわち、ＭＮ４１はＡＰ３１を介してＡＲ２１に接続されており、このＡＲ２１を先に接続したアクセスルータ（ｐＡＲ：ｐｒｅｖｉｏｕｓ  Ａｃｃｅｓｓ  Ｒｏｕｔｅｒ）とする。【０００５】  図５は、この無線通信システムにおいてＭＮがハンドオーバを行う場合の動作例を示すシーケンスチャートである。ＭＮ４１は、ｐＡＲから、端末の物理的変遷にしたがって接続したいアクセスルータに関する情報を受信する。この情報はＰｒＲｔＡｄｖ（Ｐｒｏｘｙ  Ｒｏｕｔｅｒ  Ａｄｖｅｒｔｉｓｅｍｅｎｔ）メッセージの中に含まれており、このＰｒＲｔＡｄｖメッセージはｐＡＲによって自発的に送信されるか、あるいは、ＲｔＳｏｌＰｒ（Ｒｏｕｔｅｒ  Ｓｏｌｉｃｉｔａｔｉｏｎ  ｆｏｒ  Ｐｒｏｘｙ、又はＲｏｕｔｅｒ  Ｓｏｌｉｃｉｔａｔｉｏｎ  ｆｏｒ  Ｐｒｏｘｙ  Ａｄｖｅｒｔｉｓｅｍｅｎｔ）メッセージとしてＭＮ４１から要求される。そして、この情報を用いて、ＭＮ４１は新しい気付アドレス（ｎＣｏＡ：ｎｅｗ  Ｃａｒｅ  ｏｆ  Ａｄｄｒｅｓｓ）を構成する。このｎＣｏＡは、ｐＡＲに送られるファストバインディングアップデート（ＦＢＵ：Ｆａｓｔ  Ｂｉｎｄｉｎｇ  Ｕｐｄａｔｅ）メッセージに含まれる。【０００６】  そのとき、ｐＡＲは、ハンドオーバイニシエーション（ＨＩ：Ｈａｎｄｏｖｅｒ  Ｉｎｉｔｉａｔｉｏｎ）メッセージを、新しいアクセスルータ（ｎＡＲ：Ｎｅｗ  Ａｃｃｅｓｓ  Ｒｏｕｔｅｒ）へ送る。ｐＡＲは、ＭＮ４１がまもなく接続すること（ハンドオーバを行うこと）をｎＡＲに知らせるとともに、ＭＮ４１が使おうとしているｎＣｏＡを知らせる。ｎＡＲは、ｎＣｏＡの使用許可を承認するハンドオーバアクノレッジメント（ＨＡｃｋ：Ｈａｎｄｏｖｅｒ  Ａｃｋｎｏｗｌｅｄｇｅｍｅｎｔ）メッセージ、あるいは代わりのアドレスを提案するＨＡｃｋメッセージによって、応答する。【０００７】  ｐＡＲはそのとき、ＭＮとｎＡＲの両方に対してファストバインディングアクノレッジメント（ＦＢａｃｋ：Ｆａｓｔ  Ｂｉｎｄｉｎｇ  Ａｃｋｎｏｗｌｅｄｇｅｍｅｎｔ）メッセージを送る。ＭＮ４１がｎＡＲに接続した場合、ＭＮ４１はファストネイバーアドバタイズメント（ＦＮＡ：Ｆａｓｔ  Ｎｅｉｇｈｂｏｒ  Ａｄｖｅｒｔｉｓｅｍｅｎｔ）メッセージを送信することによって、ｎＡＲへのバッファパケットの転送が開始されるようになる。【０００８】  ＭＮ４１によって生成されたｎＣｏＡがｎＡＲとの接続において使用可能であることの確認（ＦＢａｃｋによって転送される確認）が、ＭＮ４１とｐＡＲとの接続が切断される前にＭＮ４１に到達しなかった場合には、ＭＮ４１は、ＦＮＡメッセージ内に新たなＦＢＵをカプセル化して、ＭＮ４１が使用しようとするｎＣｏＡの使用許可を待つ必要がある。【０００９】  接続が失われる前に、ＦＢａｃｋがｐＡＲからＭＮへ送信されないかもしれないという理由の１つとして、例えば、ＨＩ及びＨＡｃｋメッセージの交換によって招かれる遅延が挙げられる。
【非特許文献１】Ｄ．Ｊｏｈｎｓｏｎ，Ｃ．Ｐｅｒｋｉｎｓ  ａｎｄ  Ｊ．Ａｒｋｋｏ，“Ｍｏｂｉｌｉｔｙ  Ｓｕｐｐｏｒｔ  ｉｎ  Ｉｐｖ６”，ｄｒａｆｔ−ｉｅｔｆ−ｍｏｂｉｌｅｉｐ−ｉｐｖ６−２４，Ｊｕｎｅ  ２００３
【非特許文献２】Ｒａｊｅｅｖ  Ｋｏｏｄｌｉ，“Ｆａｓｔ  Ｈａｎｄｏｖｅｒｓ  ｆｏｒ  Ｍｏｂｉｌｅ  Ｉｐｖ６”，ｄｒａｆｔ−ｉｅｔｆ−ｍｏｂｉｌｅｉｐ−ｆａｓｔ−ｍｉｐｖ６−０８，Ｏｃｔｏｂｅｒ  ２００３
【発明の開示】
【発明が解決しようとする課題】
【００１０】  上記のように、前記従来の構成では、例えば、ＨＩ及びＨＡｃｋメッセージの交換による遅延などにより、ハンドオーバの高速化が阻害されているという課題を有していた。【００１１】  本発明は、前記従来の課題を解決するもので、メッセージ交換などにより発生する時間的遅延を低減し、高速なハンドオーバ機能を有するアクセスルータ装置及びそれを用いた通信ハンドオーバシステム並びに通信ハンドオーバシステムを提供することを目的とする。
【課題を解決するための手段】
【００１２】  上記目的を達成するため、本発明のアクセスルータ装置は、サブネットを管理するアクセスルータ装置であって、
自身が管理する前記サブネットに隣接して配置された少なくとも１つの隣接サブネットにおいて使用可能なアドレス情報を保存するアドレス情報格納手段と、
前記アドレス情報格納手段に格納されている前記アドレス情報を選択するアドレス選択手段と、
自身が管理する前記サブネットに接続している移動端末に対して、前記アドレス選択手段によって選択された前記アドレス情報を提供するアドレス提供手段とを、
有している。
上記の構成により、隣接サブネットを管理するアクセスルータとの通信（例えば、ＨＩ及びＨＡｃｋメッセージの交換）による処理を行うことなく、即座に移動端末に対して、そのハンドオーバ先のアクセスルータに係るアドレス情報（ｎＣｏＡ）を提供することが可能となり、ハンドオーバの高速化を実現する。【００１３】  また、上記の構成に加えて、本発明のアクセスルータ装置は、前記隣接サブネットを管理するアクセスルータから前記アドレス情報を取得し、取得した前記アドレス情報を前記アドレス情報格納手段に格納するアドレス情報更新手段を有している。
上記の構成により、アクセスルータは、隣接サブネットを管理する他のアクセスルータから、新しいアドレス情報を取得することが可能となり、常に新しいアドレス情報を保持することが可能となる。【００１４】  また、上記の構成に加えて、本発明のアクセスルータ装置は、前記アドレス選択手段が、前記移動端末からの要求に応じて、前記移動端末に提供するための前記アドレス情報を選択するように構成されている。
上記の構成により、アクセスルータは、移動端末がアドレス情報を必要とするタイミングに応じて、移動端末が必要とするアドレス情報を選択し、提供することが可能となる。【００１５】  また、上記の構成に加えて、本発明のアクセスルータ装置は、前記アドレス選択手段が、前記移動端末から受信した前記隣接サブネットに係る識別情報に基づいて、前記移動端末のハンドオーバ先の前記隣接サブネットにおいて使用可能な前記アドレス情報を選択するように構成されている。
上記の構成により、アクセスルータは、例えば、移動端末のハンドオーバ先のアクセスルータを判別して、移動端末が所定の隣接サブネットで必要となるアドレス情報を選択し、提供することが可能となる。【００１６】  また、上記の構成に加えて、本発明のアクセスルータ装置は、前記移動端末に対して、前記アドレス提供手段によって前記アドレス情報が提供された場合には、前記アドレス情報格納手段に格納されている前記アドレス情報から、前記アドレス提供手段によって提供された前記アドレス情報が削除されるように構成されている。
上記の構成により、アクセスルータは、所定の移動端末に対して提供したアドレス情報が、別の移動端末に再度提供されることのないように制御し、アドレス情報に要請されている一意性を保つことが可能となる。【００１７】  また、上記の構成に加えて、本発明のアクセスルータ装置は、ファストハンドオーバに係る機能を有しており、前記アドレス提供手段が、前記アドレス選択手段によって選択された前記アドレス情報を含むＦＢａｃｋメッセージ又はＰｒＲｔＡｄｖメッセージを、前記移動端末に対して送信するように構成されている。
上記の構成により、ＦＭＩＰなどのファストハンドオーバ技術において送受信されるメッセージを利用して、隣接サブネットを管理するアクセスルータとの通信（例えば、ＨＩ及びＨＡｃｋメッセージの交換）による処理を行うことなく、即座に移動端末に対して、そのハンドオーバ先のアクセスルータに係るアドレス情報（ｎＣｏＡ）を提供することが可能となり、ハンドオーバの高速化を実現する。【００１８】  また、上記目的を達成するため、本発明の通信ハンドオーバシステムは、それぞれがサブネットを管理する複数のアクセスルータ装置により構成される通信ハンドオーバシステムであって、
自身が管理する前記サブネットに隣接して配置された少なくとも１つの隣接サブネットにおいて使用可能なアドレス情報を保存するアドレス情報格納手段と、前記アドレス情報格納手段に格納されている前記アドレス情報を選択するアドレス選択手段と、自身が管理する前記サブネットに接続している移動端末に対して、前記アドレス選択手段によって選択された前記アドレス情報を提供するアドレス提供手段とを有しており、
前記移動端末が、前記サブネットから前記隣接サブネットにハンドオーバを行う前に、前記特定アクセスルータ装置の前記サブネットに接続した状態で、前記アドレス情報格納手段に格納されている前記アドレス情報を前記特定アクセスルータ装置から取得するように構成されている。
上記の構成により、隣接サブネットを管理するアクセスルータとの通信（例えば、ＨＩ及びＨＡｃｋメッセージの交換）による処理を行うことなく、即座に移動端末に対して、そのハンドオーバ先のアクセスルータに係るアドレス情報（ｎＣｏＡ）を提供することが可能となり、ハンドオーバの高速化を実現する。【００１９】  また、上記目的を達成するため、本発明の通信ハンドオーバ方法は、それぞれがサブネットを管理する複数のアクセスルータ装置により構成される通信ハンドオーバシステムにおける通信ハンドオーバ方法であって、
前記複数のアクセスルータ装置のうちの１つのアクセスルータ装置が、自身が管理する前記サブネットに隣接して配置された少なくとも１つの隣接サブネットにおいて使用可能なアドレス情報を取得し、保持するステップと、
前記複数のアクセスルータ装置のうちの１つのアクセスルータ装置に接続している移動端末が、前記複数のアクセスルータ装置のうちの１つのアクセスルータ装置が管理する前記サブネットから前記隣接サブネットにハンドオーバを行う場合、前記移動端末が接続している前記アクセスルータ装置が、前記移動端末に対して、保持されている前記アドレス情報を提供するステップとを、
有している。
上記の構成により、隣接サブネットを管理するアクセスルータとの通信（例えば、ＨＩ及びＨＡｃｋメッセージの交換）による処理を行うことなく、即座に移動端末に対して、そのハンドオーバ先のアクセスルータに係るアドレス情報（ｎＣｏＡ）を提供することが可能となり、ハンドオーバの高速化を実現する。
【発明の効果】
【００２０】  本発明によれば、メッセージ交換などにより発生する時間的遅延を低減し、ハンドオーバを高速化することで、より高速な通信を実現することができる。
【図面の簡単な説明】
【００２１】
【図１】本発明及び従来の技術に共通した無線通信システムの構成を示す模式図である。
【図２】本発明の一実施の形態におけるＡＲの構成を示すブロック図である。
【図３】本発明の一実施の形態における無線通信システムにおいてＭＮがハンドオーバを行う場合の動作例を示すシーケンスチャートである。
【図４】本発明の一実施の形態における無線通信システムにおいて、複数のＡＲが地理的に周辺にある状態の一例を模式的に示す図である。
【図５】従来の無線通信システムにおいてＭＮがハンドオーバを行う場合の動作例を示すシーケンスチャートである。
【発明を実施するための最良の形態】
【００２２】  以下、本発明の実施の形態について、図面を参照しながら説明する。【００２３】  図１は、本発明及び従来の技術に共通した無線通信システムの構成を示す模式図である。図１の構成は、従来の技術と同様であるので、説明を省略する。【００２４】  図２は、本発明によるＡＲ２１の構成を示すブロック図であり、このＡＲ２１は、ＡＰ３１を介してＭＮ４１と無線接続しているｐＡＲである。【００２５】  ｐＡＲは、周辺に存在する少なくとも１つのアクセスルータ（図１におけるＡＲ２２、ＡＲ２３、ＡＲ２４など）が有するアドレス情報（アクセスルータのサブネットで使用可能なアドレス情報）を保存するアドレス情報格納手段５１であるテーブルと、周辺のＡＲ２２などから更新されたアドレス情報を取得して、アドレス情報格納手段５１に格納されているアドレス情報を、更新されたアドレス情報に更新するアドレス情報更新手段５２と、移動端末（ＭＮ４１）からの要求に応じてアドレス情報格納手段５１から使用可能なアドレスを選択するアドレス選択手段５３と、アドレス選択手段５３によって選択されたアドレスをＭＮ４１に提供するアドレス提供手段５４とを有している。また、後述のように、アドレス選択手段５３によって選択されたアドレス情報が、例えば、ＦＢａｃｋメッセージＲｔＳｏｌＰｒメッセージによってＭＮ４１に提供された場合には、アドレス選択手段５３からの指示によって、アドレス情報格納手段５１のテーブルから、ＭＮ４１に提供された上記のアドレス情報が削除されるように構成されている。【００２６】  ｐＡＲのアドレス情報格納手段５１が有するテーブルは、地理的に周辺にあるアクセスルータのそれぞれに対してユニークなｎＣｏＡを少数保持している。このユニークなｎＣｏＡは、例えば、ＤＡＤ（Ｄｕｐｌｉｃａｔｅ  Ａｄｄｒｅｓｓ  Ｄｅｔｅｃｔｉｏｎ）の処理によって、ユニークであることが確認されたアドレスである。上記の地理的に周辺にあるアクセスルータとは、あるｐＡＲのサブネットに隣接するサブネット（隣接サブネット）を管理する別のアクセスルータを指しており、すなわち、ＭＮ４１がｐＡＲのサブネットからハンドオーバを行った場合の次の接続先となり得るアクセスルータである。なお、このハンドオーバ後に次の接続先となる可能性のあるアクセスルータをポテンシャルなｎＡＲ（ｐｏｔｅｎｔｉａｌ  ｎＡＲ）と呼ぶこともある。【００２７】  例えば、俯瞰的に見たときに、各ＡＲ２１〜２４のサブネット７１〜７４が図４に図示されるように配置されている場合には、ＡＲ２１のサブネット７１の隣接サブネットは、サブネット７２〜７４となり、ＡＲ２１のアドレス情報格納手段５１には、ＡＲ２２〜ＡＲ２４のそれぞれのサブネット７２〜７４において使用可能なアドレス情報が格納される。なお、ｐＡＲは、必ずしもすべての隣接サブネットにおいて使用可能なアドレス情報を格納しておく必要はなく、特定の隣接サブネットにおいて使用可能なアドレス情報のみを格納しておいてもよい。【００２８】  このように、地理的に周辺にあるＡＲは、ｐＡＲに接続しているＭＮ４１がｎＡＲとして使用可能なものである。これらのアドレスは、すべての可能なｎＡＲ（ｎＡＲとなり得るＡＲ）に対して、そ���ｐＡＲによる直接要求によって得られうるものである。ｎＡＲは、ｐＡＲからの直接要求に応じて、ｎＣｏＡを構成する。そのｎＣｏＡは、サブネットにおける一意性が維持されるように、他のどのＭＮ４１に対しても発行されないものであるとともに、他のＭＮ４１によって、ステートレスなアドレス自動構成を通じて無作為にそのｎＣｏＡが生成された場合でも、それらを使用することは許されないものであることが保証される。なお、これらのアドレスは、一定のライフタイムと関連付けられて管理されることが望ましい。【００２９】  図３は、本発明による無線通信システムにおいてＭＮがハンドオーバを行う場合の動作例を示すシーケンスチャートである。【００３０】  各ＡＲにとって、どのＡＲがそれぞれのポテンシャルなｎＡＲであるかという情報は、ＲｔＳｏｌＰｒメッセージの受信後に収集されるか、あるいは、そのＡＲにあらかじめ蓄積されて、変化があった（ＡＲの除去又は追加）ときに更新される。また、各ＡＲは、地理的な周辺に存在するＡＲ（ポテンシャルなｎＡＲ）から更新されたアドレス情報（ｎＣｏＡ）を取得して、テーブルに格納されていたアドレス情報を、この更新されたアドレス情報に更新する。これにより、各ＡＲは、アドレス情報格納手段５１内のテーブルに、地理的な周辺に存在するＡＲのそれぞれのサブネットにおいて使用可能なアドレス情報（ｎＣｏＡとして使用可能なアドレス情報）を格納することが可能となる。また、ＭＮ４１のハンドオーバ先となる隣接サブネットは、例えば、ＲｔＳｏｌＰｒメッセージ内に含まれる新たな接続先のリンクレイヤアドレス（Ｎｅｗ  Ａｔｔａｃｈｍｅｎｔ  Ｐｏｉｎｔ  Ｌｉｎｋ−Ｌａｙｅｒ  Ａｄｄｒｅｓｓ）などの隣接サブネットに係る識別情報から判断することが可能である。したがって、ｐＡＲは、このＲｔＳｏｌＰｒメッセージ内の隣接サブネットに係る識別情報に基づいて、ＭＮ４１の次のハンドオーバ先を判断して、ＭＮ４１が必要とするｎＣｏＡを選択することが可能となる。【００３１】  これらのテーブルがｐＡＲで利用可能となった場合、例えば、それを活用する２つの方法が存在する。【００３２】  １つ目の方法は、ｐＡＲが、ＦＢＵに対して、ＨＩメッセージを送信してＨＡｃｋメッセージを待つという遅延なしに、すぐにＦＢａｃｋを返すというものである。すなわち、ＭＮ４１からのＦＢＵに応じて、アドレス情報格納手段５１であるテーブルから使用可能なアドレスを選択し、ｎＡＲとのＨＩ／ＨＡｃｋの送受信とは無関係に、即時にＭＮへ、選択された使用可能なアドレス（すなわち、ｎＣｏＡ）を含むＦＢａｃｋを返信する。これによって、ＭＮ４１が、そのＦＢａｃｋをｐＡＲから受信するとともに、ｎＡＲに接続するときに有効なｎＣｏＡをすでに持っていることになる可能性が非常に大きく増大する。なお、ｐＡＲが、ＦＢａｃｋメッセージとは異なるメッセージによって、有効なｎＣｏＡ情報をＭＮ４１に提供した場合でも、ＭＮ４１は、迅速にハンドオーバ後のサブネットで使用可能なｎＣｏＡを取得することができる。【００３３】  ２つ目の方法は、ｐＡＲが、そのＭＮ４１に対して、ＦＢＵメッセージを待たずにＰｒＲｔＡｄｖメッセージによって有効なｎＣｏＡ情報を送ると���うものである。すなわち、ｐＡＲは、ＭＮ４１からのＲｔＳｏｌＰｒメッセージに応じてアドレス情報格納手段５１であるテーブルから使用可能なアドレスを選択し、ＭＮ４１からのＦＢＵメッセージを待たずに、即時にＭＮへ、選択された使用可能なアドレス（すなわち、ｎＣｏＡ）を含むＰｒＲｔＡｄｖメッセージを送る。この場合には、たとえ、ＦＢＵメッセージが送られる前に、ＭＮとｐＡＲとの接続が失われたとしても、ＭＮは、ＦＮＡメッセージ内にＦＢＵメッセージをカプセル化する必要なしに、そのファストハンドオーバは続行しうる。すなわち、この場合には、ＭＮ４１は、ＦＢＵメッセージ（又は、ＦＮＡメッセージ）を送信することなく、ｐＡＲから送信されるＰｒＲｔＡｄｖメッセージによって、有効なｎＣｏＡ情報を取得することが可能となる。なお、ｐＡＲが、ＰｒＲｔＡｄｖメッセージとは異なるメッセージによって、有効なｎＣｏＡ情報をＭＮ４１に提供した場合でも、ＭＮ４１は、迅速にハンドオーバ後のサブネットで使用可能なｎＣｏＡを取得することができる。【００３４】  なお、上述の両方の場合において、ＭＮリンクレイヤアドレスを含むＨＩメッセージが、ｎＡＲに対して送信されてもよい。これによって、ＭＮがｎＡＲに接続される場合に、ｎＡＲはそのＭＮを認識することができるようになるとともに、バッファリングの開始指示を行うことができるようになる。【００３５】  以上のように、上述の１つ目の方法によれば、ＦＢＵは事前にｐＡＲに対して送られるが、ＦＢａｃｋが接続の切断などによって受信されないような場合においても、ＭＮ４１は、そのハンドオーバ前に有効なｎＣｏＡ情報を取得することが可能となり、遅延をより小さくするとともに、損失パケットをより少なくするという結果が生じる。また、上述の２つ目の方法によれば、接続の切断などによってＦＢＵがｐＡＲに対して送信されないような場合においても、ＭＮ４１は、そのハンドオーバ前に有効なｎＣｏＡ情報を取得することが可能となり、遅延をより小さくするとともに、損失パケットをより少なくするという結果が生じる。【００３６】  以上のように本発明によれば、メッセージ交換などにより発生する時間的遅延を低減し、ハンドオーバを高速化することができるとともに、遅延をより小さくすることで損失パケットをより少なくすることも可能となる。
【産業上の利用可能性】
【００３７】  本発明にかかるアクセスルータ装置及びそれを用いた通信ハンドオーバシステム並びに通信ハンドオーバ方法は、例えば、メッセージ交換などにより発生する時間的遅延を低減してハンドオーバを高速化する機能を有し、モバイルＩＰｖ６を利用した無線通信システムにおいてハンドオーバ技術を利用した高速無線通信などの技術分野において有用である。
【図１】
2005046144.tif 000002
【図２】
2005046144.tif 000003
【図３】
2005046144.tif 000004
【図４】
2005046144.tif 000005
【図５】
2005046144.tif 000006
【手続補正書】
【提出日】平成18年5月11日(2006.5.11)
【手続補正１】
【補正対象書類名】特許請求の範囲
【補正対象項目名】全文
【補正方法】変更
【補正の内容】
【特許請求の範囲】
【請求項１】
サブネットを管理するアクセスルータ装置であって、
自身が管理する前記サブネットに隣接して配置された少なくとも１つの隣接サブネットにおいて使用可能なアドレス情報を保存するアドレス情報格納手段と、
前記アドレス情報格納手段に格納されている前記アドレス情報を選択するアドレス選択手段と、
自身が管理する前記サブネットに接続している移動端末に対して、前記アドレス選択手段によって選択された前記アドレス情報を提供するアドレス提供手段とを、
有するアクセスルータ装置。
【請求項２】
前記隣接サブネットを管理するアクセスルータから前記アドレス情報を取得し、取得した前記アドレス情報を前記アドレス情報格納手段に格納するアドレス情報更新手段を有する請求項１に記載のアクセスルータ装置。
【請求項３】
前記アドレス選択手段が、前記移動端末からの要求に応じて、前記移動端末に提供するための前記アドレス情報を選択するように構成されている請求項１又は２に記載のアクセスルータ装置。
【請求項４】
前記アドレス選択手段が、前記移動端末から受信した前記隣接サブネットに係る識別情報に基づいて、前記移動端末のハンドオーバ先の前記隣接サブネットにおいて使用可能な前記アドレス情報を選択するように構成されている請求項３に記載のアクセスルータ装置。
【請求項５】
前記移動端末に対して、前記アドレス提供手段によって前記アドレス情報が提供された場合には、前記アドレス情報格納手段に格納されている前記アドレス情報から、前記アドレス提供手段によって提供された前記アドレス情報が削除されるように構成されている請求項１又は２に記載のアクセスルータ装置。
【請求項６】
ファストハンドオーバに係る機能を有しており、前記アドレス提供手段が、前記アドレス選択手段によって選択された前記アドレス情報を含むＦＢａｃｋメッセージ又はＰｒＲｔＡｄｖメッセージを、前記移動端末に対して送信するように構成されている請求項１又は２に記載のアクセスルータ装置。
【請求項７】
それぞれがサブネットを管理する複数のアクセスルータ装置により構成される通信ハンドオーバシステムであって、
前記複数のアクセスルータ装置のうちの１つの特定アクセスルータ装置が、自身が管理する前記サブネットに隣接して配置された少なくとも１つの隣接サブネットにおいて使用可能なアドレス情報を保存するアドレス情報格納手段と、前記アドレス情報格納手段に格納されている前記アドレス情報を選択するアドレス選択手段と、自身が管理する前記サブネットに接続している移動端末に対して、前記アドレス選択手段によって選択された前記アドレス情報を提供するアドレス提供手段とを有しており、
前記移動端末が、前記サブネットから前記隣接サブネットにハンドオーバを行う前に、前記特定アクセスルータ装置の前記サブネットに接続した状態で、前記アドレス情報格納手段に格納されている前記アドレス情報を前記特定アクセスルータ装置から取得するように構成されている通信ハンドオーバシステム。
【請求項８】
それぞれがサブネットを管理する複数のアクセスルータ装置により構成される通信ハンドオーバシステムにおける通信ハンドオーバ方法であって、
前記複数のアクセスルータ装置のうちの１つのアクセスルータ装置が、自身が管理する前記サブネットに隣接して配置された少なくとも１つの隣接サブネットにおいて使用可能なアドレス情報を取得し、保持するステップと、
前記複数のアクセスルータ装置のうちの１つのアクセスルータ装置に接続している移動端末が、前記複数のアクセスルータ装置のうちの１つのアクセスルータ装置が管理する前記サブネットから前記隣接サブネットにハンドオーバを行う場合、前記移動端末が接続している前記アクセスルータ装置が、前記移動端末に対して、保持されている前記アドレス情報を提供するステップとを、
有する通信ハンドオーバ方法。
【手続補正２】
【補正対象書類名】明細書
【補正対象項目名】全文
【補正方法】変更
【補正の内容】
【発明の詳細な説明】
【技術分野】
【０００１】
本発明は、無線通信を行う移動端末のハンドオーバの高速化を実現するアクセスルータ装置及びそれを用いた通信ハンドオーバシステム並びに通信ハンドオーバ方法に関し、特に、モバイルＩＰｖ６（Mobile Internet Protocol version 6）を利用した無線通信を行う移動端末において、ハンドオーバを高速化する技術に関する。
【背景技術】
【０００２】
近年、移動端末から無線ネットワークを通じてインターネットなどの通信ネットワークにアクセスするユーザに対して、移動しながらでもシームレスに通信ネットワークの接続を提供できる技術として、次世代インターネットプロトコルであるモバイルＩＰｖ６を利用したものが普及してきている。このモバイルＩＰｖ６に関する技術は、例えば、下記の非特許文献１に開示されている。
【０００３】
また、モバイルＩＰｖ６を利用した無線通信システムにおいて、移動端末があるサブネットから別のサブネットに移動した場合でも円滑に無線通信を継続させる技術として、ファストハンドオーバ技術が知られており、例えば、下記の非特許文献２に開示されている。
【０００４】
以下に、高速モバイルＩＰ（ＦＭＩＰ：Fast Mobile IP）を用いたハンドオーバの手順について、一例を簡単に説明する。図１は、無線通信システムの構成を示す模式図である。インターネットなどの通信ネットワークをＩＰネットワーク１１とし、ＩＰネットワーク１１には複数のアクセスルータ（ＡＲ：Access Router）２１、２２、２３、２４が接続され、そして、ＡＲ２１にはアクセスポイント（ＡＰ：Access Point）３１、３２が接続され、ＡＰ３１にはモバイルノード（ＭＮ：Mobile Node）４１が無線接続されている。すなわち、ＭＮ４１はＡＰ３１を介してＡＲ２１に接続されており、このＡＲ２１を先に接続したアクセスルータ（ｐＡＲ：previous Access Router）とする。
【０００５】
図５は、この無線通信システムにおいてＭＮがハンドオーバを行う場合の動作例を示すシーケンスチャートである。ＭＮ４１は、ｐＡＲから、端末の物理的変遷に従って接続したいアクセスルータに関する情報を受信する。この情報はＰｒＲｔＡｄｖ（Proxy Router Advertisement）メッセージの中に含まれており、このＰｒＲｔＡｄｖメッセージはｐＡＲによって自発的に送信されるか、あるいは、ＲｔＳｏｌＰｒ（Router Solicitation for Proxy、又はRouter Solicitation for Proxy Advertisement）メッセージとしてＭＮ４１から要求される。そして、この情報を用いて、ＭＮ４１は新しい気付アドレス（ｎＣｏＡ：new Care of Address）を構成する。このｎＣｏＡは、ｐＡＲに送られるファストバインディングアップデート（ＦＢＵ：Fast Binding Update）メッセージに含まれる。
【０００６】
そのとき、ｐＡＲは、ハンドオーバイニシエーション（ＨＩ：Handover Initiation）メッセージを、新しいアクセスルータ（ｎＡＲ：new Access Router）へ送る。ｐＡＲは、ＭＮ４１がまもなく接続すること（ハンドオーバを行うこと）をｎＡＲに知らせるとともに、ＭＮ４１が使おうとしているｎＣｏＡを知らせる。ｎＡＲは、ｎＣｏＡの使用許可を承認するハンドオーバアクノレッジメント（ＨＡｃｋ：Handover Acknowledgement）メッセージ、あるいは代わりのアドレスを提案するＨＡｃｋメッセージによって、応答する。
【０００７】
ｐＡＲはそのとき、ＭＮとｎＡＲの両方に対してファストバインディングアクノレッジメント（ＦＢａｃｋ：Fast Binding Acknowledgement）メッセージを送る。ＭＮ４１がｎＡＲに接続した場合、ＭＮ４１はファストネイバーアドバタイズメント（ＦＮＡ：Fast Neighbor Advertisement）メッセージを送信することによって、ｎＡＲへのバッファパケットの転送が開始されるようになる。
【０００８】
ＭＮ４１によって生成されたｎＣｏＡがｎＡＲとの接続において使用可能であることの確認（ＦＢａｃｋによって転送される確認）が、ＭＮ４１とｐＡＲとの接続が切断される前にＭＮ４１に到達しなかった場合には、ＭＮ４１は、ＦＮＡメッセージ内に新たなＦＢＵをカプセル化して、ＭＮ４１が使用しようとするｎＣｏＡの使用許可を待つ必要がある。
【０００９】
接続が失われる前に、ＦＢａｃｋがｐＡＲからＭＮへ送信されないかもしれないという理由の１つとして、例えば、ＨＩ及びＨＡｃｋメッセージの交換によって招かれる遅延が挙げられる。
【非特許文献１】D. Johnson, C. Perkins and J. Arkko, "Mobility Support in Ipv6", draft-ietf-mobileip-ipv6-24, June 2003
【非特許文献２】Rajeev Koodli, "Fast Handovers for Mobile Ipv6", draft-ietf-mobileip-fast-mipv6-08, October 2003
【発明の開示】
【発明が解決しようとする課題】
【００１０】
上記のように、前記従来の構成では、例えば、ＨＩ及びＨＡｃｋメッセージの交換による遅延などにより、ハンドオーバの高速化が阻害されているという課題を有していた。
【００１１】
本発明は、前記従来技術の課題を解決するもので、メッセージ交換などにより発生する時間的遅延を低減させ、高速なハンドオーバ機能を有するアクセスルータ装置及びそれを用いた通信ハンドオーバシステム並びに通信ハンドオーバシステムを提供することを目的とする。
【課題を解決するための手段】
【００１２】
上記目的を達成するため、本発明のアクセスルータ装置は、サブネットを管理するアクセスルータ装置であって、
自身が管理する前記サブネットに隣接して配置された少なくとも１つの隣接サブネットにおいて使用可能なアドレス情報を保存するアドレス情報格納手段と、
前記アドレス情報格納手段に格納されている前記アドレス情報を選択するアドレス選択手段と、
自身が管理する前記サブネットに接続している移動端末に対して、前記アドレス選択手段によって選択された前記アドレス情報を提供するアドレス提供手段とを、
有している。
上記の構成により、隣接サブネットを管理するアクセスルータとの通信（例えば、ＨＩ及びＨＡｃｋメッセージの交換）による処理を行うことなく、即座に移動端末に対して、そのハンドオーバ先のアクセスルータに係るアドレス情報（ｎＣｏＡ）を提供することが可能となり、ハンドオーバの高速化を実現する。
【００１３】
また、上記の構成に加えて、本発明のアクセスルータ装置は、前記隣接サブネットを管理するアクセスルータから前記アドレス情報を取得し、取得した前記アドレス情報を前記アドレス情報格納手段に格納するアドレス情報更新手段を有している。
上記の構成により、アクセスルータは、隣接サブネットを管理する他のアクセスルータから、新しいアドレス情報を取得することが可能となり、常に新しいアドレス情報を保持することが可能となる。
【００１４】
また、上記の構成に加えて、本発明のアクセスルータ装置は、前記アドレス選択手段が、前記移動端末からの要求に応じて、前記移動端末に提供するための前記アドレス情報を選択するように構成されている。
上記の構成により、アクセスルータは、移動端末がアドレス情報を必要とするタイミングに応じて、移動端末が必要とするアドレス情報を選択し、提供することが可能となる。
【００１５】
また、上記の構成に加えて、本発明のアクセスルータ装置は、前記アドレス選択手段が、前記移動端末から受信した前記隣接サブネットに係る識別情報に基づいて、前記移動端末のハンドオーバ先の前記隣接サブネットにおいて使用可能な前記アドレス情報を選択するように構成されている。
上記の構成により、アクセスルータは、例えば、移動端末のハンドオーバ先のアクセスルータを判別して、移動端末が所定の隣接サブネットで必要となるアドレス情報を選択し、提供することが可能となる。
【００１６】
また、上記の構成に加えて、本発明のアクセスルータ装置は、前記移動端末に対して、前記アドレス提供手段によって前記アドレス情報が提供された場合には、前記アドレス情報格納手段に格納されている前記アドレス情報から、前記アドレス提供手段によって提供された前記アドレス情報が削除されるように構成されている。
上記の構成により、アクセスルータは、所定の移動端末に対して提供したアドレス情報が、別の移動端末に再度提供されることのないように制御し、アドレス情報に要請されている一意性を保つことが可能となる。
【００１７】
また、上記の構成に加えて、本発明のアクセスルータ装置は、ファストハンドオーバに係る機能を有しており、前記アドレス提供手段が、前記アドレス選択手段によって選択された前記アドレス情報を含むＦＢａｃｋメッセージ又はＰｒＲｔＡｄｖメッセージを、前記移動端末に対して送信するように構成されている。
上記の構成により、ＦＭＩＰなどのファストハンドオーバ技術において送受信されるメッセージを利用して、隣接サブネットを管理するアクセスルータとの通信（例えば、ＨＩ及びＨＡｃｋメッセージの交換）による処理を行うことなく、即座に移動端末に対して、そのハンドオーバ先のアクセスルータに係るアドレス情報（ｎＣｏＡ）を提供することが可能となり、ハンドオーバの高速化を実現する。
【００１８】
また、上記目的を達成するため、本発明の通信ハンドオーバシステムは、それぞれがサブネットを管理する複数のアクセスルータ装置により構成される通信ハンドオーバシステムであって、
前記複数のアクセスルータ装置のうちの１つの特定アクセスルータ装置が、自身が管理する前記サブネットに隣接して配置された少なくとも１つの隣接サブネットにおいて使用可能なアドレス情報を保存するアドレス情報格納手段と、前記アドレス情報格納手段に格納されている前記アドレス情報を選択するアドレス選択手段と、自身が管理する前記サブネットに接続している移動端末に対して、前記アドレス選択手段によって選択された前記アドレス情報を提供するアドレス提供手段とを有しており、
前記移動端末が、前記サブネットから前記隣接サブネットにハンドオーバを行う前に、前記特定アクセスルータ装置の前記サブネットに接続した状態で、前記アドレス情報格納手段に格納されている前記アドレス情報を前記特定アクセスルータ装置から取得するように構成されている。
上記の構成により、隣接サブネットを管理するアクセスルータとの通信（例えば、ＨＩ及びＨＡｃｋメッセージの交換）による処理を行うことなく、即座に移動端末に対して、そのハンドオーバ先のアクセスルータに係るアドレス情報（ｎＣｏＡ）を提供することが可能となり、ハンドオーバの高速化を実現する。
【００１９】
また、上記目的を達成するため、本発明の通信ハンドオーバ方法は、それぞれがサブネットを管理する複数のアクセスルータ装置により構成される通信ハンドオーバシステムにおける通信ハンドオーバ方法であって、
前記複数のアクセスルータ装置のうちの１つのアクセスルータ装置が、自身が管理する前記サブネットに隣接して配置された少なくとも１つの隣接サブネットにおいて使用可能なアドレス情報を取得し、保持するステップと、
前記複数のアクセスルータ装置のうちの１つのアクセスルータ装置に接続している移動端末が、前記複数のアクセスルータ装置のうちの１つのアクセスルータ装置が管理する前記サブネットから前記隣接サブネットにハンドオーバを行う場合、前記移動端末が接続している前記アクセスルータ装置が、前記移動端末に対して、保持されている前記アドレス情報を提供するステップとを、
有している。
上記の構成により、隣接サブネットを管理するアクセスルータとの通信（例えば、ＨＩ及びＨＡｃｋメッセージの交換）による処理を行うことなく、即座に移動端末に対して、そのハンドオーバ先のアクセスルータに係るアドレス情報（ｎＣｏＡ）を提供することが可能となり、ハンドオーバの高速化を実現する。
【発明の効果】
【００２０】
本発明によれば、メッセージ交換などにより発生する時間的遅延を低減させ、ハンドオーバを高速化することで、より高速な通信を実現することができる。
【発明を実施するための最良の形態】
【００２１】
以下、本発明の実施の形態について、図面を参照しながら説明する。
【００２２】
図１は、本発明及び従来の技術に共通した無線通信システムの構成を示す模式図である。図１の構成は、従来の技術と同様であるので、説明を省略する。
【００２３】
図２は、本発明によるＡＲ２１の構成を示すブロック図であり、このＡＲ２１は、ＡＰ３１を介してＭＮ４１と無線接続しているｐＡＲである。
【００２４】
ｐＡＲは、周辺に存在する少なくとも１つのアクセスルータ（図１におけるＡＲ２２、ＡＲ２３、ＡＲ２４など）が有するアドレス情報（アクセスルータのサブネットで使用可能なアドレス情報）を保存するアドレス情報格納手段５１であるテーブルと、周辺のＡＲ２２などから更新されたアドレス情報を取得して、アドレス情報格納手段５１に格納されているアドレス情報を、更新されたアドレス情報に更新するアドレス情報更新手段５２と、移動端末（ＭＮ４１）からの要求に応じてアドレス情報格納手段５１から使用可能なアドレスを選択するアドレス選択手段５３と、アドレス選択手段５３によって選択されたアドレスをＭＮ４１に提供するアドレス提供手段５４とを有している。また、後述のように、アドレス選択手段５３によって選択されたアドレス情報が、例えば、ＦＢａｃｋメッセージＲｔＳｏｌＰｒメッセージによってＭＮ４１に提供された場合には、アドレス選択手段５３からの指示によって、アドレス情報格納手段５１のテーブルから、ＭＮ４１に提供された上記のアドレス情報が削除されるように構成されている。
【００２５】
ｐＡＲのアドレス情報格納手段５１が有するテーブルは、地理的に周辺にあるアクセスルータのそれぞれに対してユニークなｎＣｏＡを少数保持している。このユニークなｎＣｏＡは、例えば、ＤＡＤ（Duplicate Address Detection）の処理によって、ユニークであることが確認されたアドレスである。上記の地理的に周辺にあるアクセスルータとは、あるｐＡＲのサブネットに隣接するサブネット（隣接サブネット）を管理する別のアクセスルータを指しており、すなわち、ＭＮ４１がｐＡＲのサブネットからハンドオーバを行った場合の次の接続先となり得るアクセスルータである。なお、このハンドオーバ後に次の接続先となる可能性のあるアクセスルータをポテンシャルなｎＡＲ（potential nAR）と呼ぶこともある。
【００２６】
例えば、俯瞰的に見たときに、各ＡＲ２１〜２４のサブネット７１〜７４が図４に図示されるように配置されている場合には、ＡＲ２１のサブネット７１の隣接サブネットは、サブネット７２〜７４となり、ＡＲ２１のアドレス情報格納手段５１には、ＡＲ２２〜ＡＲ２４のそれぞれのサブネット７２〜７４において使用可能なアドレス情報が格納される。なお、ｐＡＲは、必ずしもすべての隣接サブネットにおいて使用可能なアドレス情報を格納しておく必要はなく、特定の隣接サブネットにおいて使用可能なアドレス情報のみを格納しておいてもよい。
【００２７】
このように、地理的に周辺にあるＡＲは、ｐＡＲに接続しているＭＮ４１がｎＡＲとして使用可能なものである。これらのアドレスは、すべての可能なｎＡＲ（ｎＡＲとなり得るＡＲ）に対して、そのｐＡＲによる直接要求によって得られうるものである。ｎＡＲは、ｐＡＲからの直接要求に応じて、ｎＣｏＡを構成する。そのｎＣｏＡは、サブネットにおける一意性が維持されるように、他のどのＭＮ４１に対しても発行されないものであるとともに、他のＭＮ４１によって、ステートレスなアドレス自動構成を通じて無作為にそのｎＣｏＡが生成された場合でも、それらを使用することは許されないものであることが保証される。なお、これらのアドレスは、一定のライフタイムと関連付けられて管理されることが望ましい。
【００２８】
図３は、本発明による無線通信システムにおいてＭＮがハンドオーバを行う場合の動作例を示すシーケンスチャートである。
【００２９】
各ＡＲにとって、どのＡＲがそれぞれのポテンシャルなｎＡＲであるかという情報は、ＲｔＳｏｌＰｒメッセージの受信後に収集されるか、あるいは、そのＡＲにあらかじめ蓄積されて、変化があった（ＡＲの除去又は追加）ときに更新される。また、各ＡＲは、地理的な周辺に存在するＡＲ（ポテンシャルなｎＡＲ）から更新されたアドレス情報（ｎＣｏＡ）を取得して、テーブルに格納されていたアドレス情報を、この更新されたアドレス情報に更新する。これにより、各ＡＲは、アドレス情報格納手段５１内のテーブルに、地理的な周辺に存在するＡＲのそれぞれのサブネットにおいて使用可能なアドレス情報（ｎＣｏＡとして使用可能なアドレス情報）を格納することが可能となる。また、ＭＮ４１のハンドオーバ先となる隣接サブネットは、例えば、ＲｔＳｏｌＰｒメッセージ内に含まれる新たな接続先のリンクレイヤアドレス（New Attachment Point Link-Layer Address）などの隣接サブネットに係る識別情報から判断することが可能である。したがって、ｐＡＲは、このＲｔＳｏｌＰｒメッセージ内の隣接サブネットに係る識別情報に基づいて、ＭＮ４１の次のハンドオーバ先を判断して、ＭＮ４１が必要とするｎＣｏＡを選択することが可能となる。
【００３０】
これらのテーブルがｐＡＲで利用可能となった場合、例えば、それを活用する２つの方法が存在する。
【００３１】
１つ目の方法は、ｐＡＲが、ＦＢＵに対して、ＨＩメッセージを送信してＨＡｃｋメッセージを待つという遅延なしに、すぐにＦＢａｃｋを返すというものである。すなわち、ＭＮ４１からのＦＢＵに応じて、アドレス情報格納手段５１であるテーブルから使用可能なアドレスを選択し、ｎＡＲとのＨＩ／ＨＡｃｋの送受信とは無関係に、即時にＭＮへ、選択された使用可能なアドレス（すなわち、ｎＣｏＡ）を含むＦＢａｃｋを返信する。これによって、ＭＮ４１が、そのＦＢａｃｋをｐＡＲから受信するとともに、ｎＡＲに接続するときに有効なｎＣｏＡをすでに持っていることになる可能性が非常に大きく増大する。なお、ｐＡＲが、ＦＢａｃｋメッセージとは異なるメッセージによって、有効なｎＣｏＡ情報をＭＮ４１に提供した場合でも、ＭＮ４１は、迅速にハンドオーバ後のサブネットで使用可能なｎＣｏＡを取得することができる。
【００３２】
２つ目の方法は、ｐＡＲが、そのＭＮ４１に対して、ＦＢＵメッセージを待たずにＰｒＲｔＡｄｖメッセージによって有効なｎＣｏＡ情報を送るというものである。すなわち、ｐＡＲは、ＭＮ４１からのＲｔＳｏｌＰｒメッセージに応じてアドレス情報格納手段５１であるテーブルから使用可能なアドレスを選択し、ＭＮ４１からのＦＢＵメッセージを待たずに、即時にＭＮへ、選択された使用可能なアドレス（すなわち、ｎＣｏＡ）を含むＰｒＲｔＡｄｖメッセージを送る。この場合には、たとえ、ＦＢＵメッセージが送られる前に、ＭＮとｐＡＲとの接続が失われたとしても、ＭＮは、ＦＮＡメッセージ内にＦＢＵメッセージをカプセル化する必要なしに、そのファストハンドオーバは続行しうる。すなわち、この場合には、ＭＮ４１は、ＦＢＵメッセージ（又は、ＦＮＡメッセージ）を送信することなく、ｐＡＲから送信されるＰｒＲｔＡｄｖメッセージによって、有効なｎＣｏＡ情報を取得することが可能となる。なお、ｐＡＲが、ＰｒＲｔＡｄｖメッセージとは異なるメッセージによって、有効なｎＣｏＡ情報をＭＮ４１に提供した場合でも、ＭＮ４１は、迅速にハンドオーバ後のサブネットで使用可能なｎＣｏＡを取得することができる。
【００３３】
なお、上述の両方の場合において、ＭＮリンクレイヤアドレスを含むＨＩメッセージが、ｎＡＲに対して送信されてもよい。これによって、ＭＮがｎＡＲに接続される場合に、ｎＡＲはそのＭＮを認識することができるようになるとともに、バッファリングの開始指示を行うことができるようになる。
【００３４】
以上のように、上述の１つ目の方法によれば、ＦＢＵは事前にｐＡＲに対して送られるが、ＦＢａｃｋが接続の切断などによって受信されないような場合においても、ＭＮ４１は、そのハンドオーバ前に有効なｎＣｏＡ情報を取得することが可能となり、遅延をより小さくするとともに、損失パケットをより少なくするという結果が生じる。また、上述の２つ目の方法によれば、接続の切断などによってＦＢＵがｐＡＲに対して送信されないような場合においても、ＭＮ４１は、そのハンドオーバ前に有効なｎＣｏＡ情報を取得することが可能となり、遅延をより小さくするとともに、損失パケットをより少なくするという結果が生じる。
【００３５】
以上のように本発明によれば、メッセージ交換などにより発生する時間的遅延を低減させ、ハンドオーバを高速化することができるとともに、遅延をより小さくすることで損失パケットをより少なくすることも可能となる。
【産業上の利用可能性】
【００３６】
本発明にかかるアクセスルータ装置及びそれを用いた通信ハンドオーバシステム並びに通信ハンドオーバ方法は、例えば、メッセージ交換などにより発生する時間的遅延を低減してハンドオーバを高速化する機能を有し、モバイルＩＰｖ６を利用した無線通信システムにおいてハンドオーバ技術を利用した高速無線通信などの技術分野において有用である。
【図面の簡単な説明】
【００３７】
【図１】本発明及び従来の技術に共通した無線通信システムの構成を示す模式図
【図２】本発明の一実施の形態におけるＡＲの構成を示すブロック図
【図３】本発明の一実施の形態における無線通信システムにおいてＭＮがハンドオーバを行う場合の動作例を示すシーケンスチャート
【図４】本発明の一実施の形態における無線通信システムにおいて、複数のＡＲが地理的に周辺にある状態の一例を模式的に示す図
【図５】従来の無線通信システムにおいてＭＮがハンドオーバを行う場合の動作例を示すシーケンスチャート
【手続補正３】
【補正対象書類名】図面
【補正対象項目名】全図
【補正方法】変更
【補正の内容】
【図１】
2005046144.tif 000007
【図２】
2005046144.tif 000008
【図３】
2005046144.tif 000009
【図４】
2005046144.tif 000010
【図５】
2005046144.tif 000011
【国際調査報告】
2005046144.tif 000012
2005046144.tif 000013
2005046144.tif 000014
2005046144.tif 000015